(57)【要約】【課題】金本来の鮮やかな金色が表現できて、経時的な発色の悪化を生じない金箔付きインクジェットプリントを提供する。【解決手段】インクジェットプリント用生地１２に金箔を施した金箔付きインクジェットプリント１１であって、金箔付きインクジェットプリントは、インクジェットプリント用生地１２の表面１２ａに、インクジェットプリント装置を用いて接着剤を吹き付けて形成した接着剤層１３と、接着剤層の表面１３ａに金箔を圧着して形成した金箔層１４とを有する構成である。【選択図】図１
0003233053.tif 000002
【実用新案登録請求の範囲】
【請求項１】
インクジェットプリント用生地に金箔を施した金箔付きインクジェットプリントであって、
該金箔付きインクジェットプリントは、前記インクジェットプリント用生地の表面に、インクジェットプリント装置を用いて接着剤を吹き付けて形成した接着剤層と、該接着剤層の表面に金箔を圧着して形成した金箔層とを少なくとも有すること
を特徴とする金箔付きインクジェットプリント。
【請求項２】
前記インクジェットプリント用生地は、ポリエステル生地、塩化ビニール生地、合成樹脂製生地、紙生地、ターポリン、トロマットであること
を特徴とする請求項１に記載の金箔付きインクジェットプリント。
【考案の詳細な説明】
【技術分野】
【０００１】
本考案は、インクジェットプリント用生地に金箔を施した印刷物である、金箔付きインクジェットプリントに関するものである。
【背景技術】
【０００２】
従来、インクジェットプリント装置を用いて色を表現する場合は、ＣＭＹＫカラーモデルの表現法によって、シアン（Ｃｙａｎ）、マゼンタ（Ｍａｇｅｎｔａ）、イエロー（Ｙｅｌｌｏｗ）、キー・プレート（Ｋｅｙ  ｐｌａｔｅ）の４成分で表現している。
【０００３】
そして、金色を表現するには、インクジェットプリント用の金色のインクは存在しないので、シルバーインクに黄色を加えて金色を表現しており、この場合は、金本来の鮮やかな金色を表現することが難しい。
【０００４】
なお、インクジェットプリント装置を用いた印刷物の発明ではないが、特開平８−２０７４９８号公報には、装飾するのに用いる金箔シート及びその製造方法の発明が開示されている（特許文献１参照）。
【先行技術文献】
【特許文献】
【０００５】
【特許文献１】特開平８−２０７４９８号公報
【考案の概要】
【考案が解決しようとする課題】
【０００６】
従来のインクジェットプリント装置を用いて金色を表現する場合は、金本来の鮮やかな金色を表現することが困難である。つまり、既述したように、シルバーインクに黄色を加えて黄土色に似た色で無理矢理「金色」を表現しているに過ぎず、また、そのように表現した「金色」は、時間の経過と共に発色が悪くなるという問題点を有している。
【０００７】
同様に、ターポリンやトロマットなどの大判のインクジェットプリント用生地に金色を表現する場合は、金本来の鮮やかな金色を表現することができないので、その欠点が顕著に表れるという問題点を有している。
【０００８】
従って、従来のインクジェットプリント装置を用いて金色を表現する場合においては、金本来の鮮やかな金色を表現することと、経時的な発色の悪化を防ぐことと、ターポリンやトロマットなどの大判のインクジェットプリント用生地であっても、金本来の鮮やかな金色を表現することとに解決しなければならない課題を有している。
【課題を解決するための手段】
【０００９】
前記従来例の課題を解決するための本考案の要旨は、インクジェットプリント用生地に金箔を施した金箔付きインクジェットプリントであって、該金箔付きインクジェットプリントは、前記インクジェットプリント用生地の表面に、インクジェットプリント装置を用いて接着剤を吹き付けて形成した接着剤層と、該接着剤層の表面に金箔を圧着して形成した金箔層とを少なくとも有することである。
【００１０】
また、前記インクジェットプリント用生地は、ポリエステル生地、塩化ビニール生地、合成樹脂製生地、紙生地、ターポリン、トロマットであること、；
を含むものである。
【考案の効果】
【００１１】
本考案に係る金箔付きインクジェットプリントによれば、インクジェットプリント用生地に接着層を介在して金箔層を形成するので、従来例のような黄土色に似た「金色」とは異なり、金本来の鮮やかな金色を表現できる。また、金箔層が存在するので、経時的な発色の悪化が生じない。
さらには、ターポリンやトロマットなどの大判のインクジェットプリント用生地であっても、金本来の鮮やかな金色を表現できるという優れた効果を奏する。
【００１２】
また、インクジェットプリント用生地は、ポリエステル生地、塩化ビニール生地、合成樹脂製生地、紙生地、ターポリン、トロマットであることによって、様々なインクジェットプリント用生地に対応が可能であり、また、ターポリンやトロマットなどの大判のインクジェットプリント用生地であっても対応が可能であるという優れた効果を奏する。
【図面の簡単な説明】
【００１３】
【図１】本考案に係る金箔付きインクジェットプリントの一部を拡大して略示的に示す断面図である。
【考案を実施するための形態】
【００１４】
次に、本考案の実施の形態について図面を参照しながら説明する。まず、図１において、符号１１は金箔付きインクジェットプリントを示し、この金箔付きインクジェットプリント１１は、インクジェットプリント用生地１２の表面１２ａに、図示しないインクジェットプリント装置を用いて接着剤を吹き付けて形成した接着剤層１３と、接着剤層１３の表面１３ａに金箔を圧着して形成した金箔層１４とから構成される。
【００１５】
インクジェットプリント装置は、従来周知の構造であり、図示しない吹きつけノズルからインク、接着剤を吹き付けて、生地等に付着させる印刷装置である。
【００１６】
インクジェットプリント用生地１２は、ポリエステル生地、塩化ビニール生地、合成樹脂製生地、紙生地、ターポリン、トロマット等である。従って、様々なインクジェットプリント用生地１２に対応が可能であり、また、ターポリンやトロマットなどの大判のインクジェットプリント用生地１２であっても対応が可能である。
【００１７】
接着剤層１３は、既存のプライマーをインクジェットプリント装置でインクジェットプリント用生地１２の表面１２ａに吹き付けて形成する。
【００１８】
金箔層１４は、既存の金箔をインクジェットプリント装置で接着剤層１３の表面１３ａに金箔を圧着して形成する。
なお、「金箔」は、後述する通り、金とともに微量の銀や銅などを合金している金箔（本金箔）と、純金のみの金箔（純金箔）との両方を含む。
【００１９】
以上のように構成される金箔付きインクジェットプリント１１は、インクジェットプリント用生地１２に接着層１３を介在して金箔層１４を形成するので、従来例のような黄土色に似た「金色」とは異なり、金本来の鮮やかな金色を表現できる。また、金箔層１４が存在するので、経時的な発色の悪化が生じない。
さらには、ターポリンやトロマットなどの大判のインクジェットプリント用生地１２であっても、金本来の鮮やかな金色を表現できる。
【００２０】
次に、以下にも本考案の金箔付きインクジェットプリント１１による様々な効果を述べる。
（１）インクジェットプリント装置による微細な表現が可能である。
パソコン上で作成したベクターデータを用いて形成した、インクジェットプリント装置で接着剤を吹き付けて形成する接着剤層と、接着剤層の表面に金箔を圧着して形成する金箔層と有することにより、極めて微細な金色の表現が可能である。
（２）製版作業が不要である。
デジタルデータから、カラー写真などを含む階調のあるフルカラー、即ち、ＣＭＹＫカラーモデルと金箔とを、インクジェットプリント生地に直接プリントすることが可能である。
（３）小ロットでの発注が可能である。
製版作業が必要なく、製版代が不要のために、金箔を施した１枚だけのオリジナルデザインを比較的容易に製作することが可能である。
（４）視覚だけではなく、触感的にも訴求する。
金箔を施した部分が若干盛り上がるために、凹凸のある手触り感を得られることとなり、触感的にも優れたインクジェットプリントが形成される。
【産業上の利用可能性】
【００２１】
本願考案の明細書及び実用新案登録請求の範囲で用いられる「金箔」についての意味は、金とともに微量の銀や銅などを合金している金箔（本金箔）と、純金のみの金箔（純金箔）との両方を含むものである。
従って、本願考案の金箔付きインクジェットプリントには、本金箔だけでなく、純金箔を使用することが可能である。
【００２２】
また、本考案の金箔付きインクジェットプリントは、展示会、展覧会、美術展などにおける様々な印刷物や、ポスター、壁紙、ショウケースのディスプレーなど、あらゆる印刷物に応用して用いることが可能である。
【符号の説明】
【００２３】
１１  金箔付きインクジェットプリント
１２  インクジェットプリント用生地
１２ａ  表面
１３  接着剤層
１３ａ  表面
１４  金箔層
【図１】
0003233053.tif 000003